(57)【要約】【目的】切り花の鮮度を長に亙って維持することができ、観賞可能な期間を大幅に延長させることのできる培地付き切り花及び生花商品を提供する。【構成】  発根促進剤を含む塊状の培地２と、この培地２内に茎又は枝１Ａの切り口部分が配された切り花１とを有し、培地２内に配された茎又は枝１Ａの切り口部分から根３が発せられる。又、培地２は容器４内に収容される。【選択図】図４
0003108292.tif 000002
【実用新案登録請求の範囲】
【請求項１】
発根促進剤を含む塊状の培地と、この培地内に茎又は枝の切り口部分が配された切り花とを有し、前記培地内に配された茎又は枝の切り口部分から発根されて成ることを特徴とする培地付き切り花。
【請求項２】
発根促進剤を含む塊状の培地と、この培地内に茎又は枝の切り口部分が配された切り花と、前記培地を収容する容器とを具備して成ることを特徴とする生花商品。
【請求項３】
容器が透明であり、その内部に培地のほか該培地の周囲に配される有色の培地固定材が収容される請求項２記載の生花商品。
【請求項４】
容器を収容する外装体を備えた請求項２記載の生花商品。
【請求項５】
外装体に吊下げ用の紐状体が接続されている請求項４記載の生花商品。
【考案の詳細な説明】
【技術分野】
【０００１】
本考案は培地付き切り花及び生花商品に係わり、特に切り花の鮮度を長期に亙って維持できるようにした培地付き切り花及び生花商品に関する。
【背景技術】
【０００２】
一般に、切り花は花瓶や水盤といった水入りの花器に挿して生花とするが、水盤のような底の浅い花器では切り花が倒伏してしまうので、その種の花器内には剣山を配し、これによって切り花の茎又は枝の切り口部分を突き刺すようにしている。
【０００３】
然し、剣山に切り花を一輪ずつバランスを整えながら保持せしめる作業は容易でなく、その作業に多くの時間や労力を費やしてしまうという難点がある。
【０００４】
尚、底の深い花瓶では剣山を使用せずして切り花を容易に生けることが可能であるが、これにより得られる生花も棚上などに配した場合に花瓶ごと倒伏してしまうことがある。
【０００５】
このため、上端に縁部を有する筒にして、その縁部から下方に向かって広がる数本の脚を有したフラワーアレンジブッシュホルダーが提案され、一般に広く賞用されている（例えば、特許文献１）。
【０００６】
そして、特許文献１に係るホルダーは、これに切り花を挿した状態のまま所定の場所に飾り付けることができ、しかも筒を花瓶などに挿入してこれを弾力性を有した脚により花瓶内に固定することもできる。
【０００７】
一方、切り花による室内の装飾効果を上げるために、左右一対の藁草履を逆ハ字状に重ね合わせ、その重ね合わせ部分から水差し容器としての試験管を吊り下げ、その試験管に切り花を生けて成る生花壁飾りが提案されている（例えば、特許文献２）。
【０００８】
【特許文献１】登録実用新案第３０３９０４６号公報
【０００９】
【特許文献２】登録実用新案第３０９１５０１号公報
【考案の開示】
【考案が解決しようとする課題】
【００１０】
然しながら、切り花は植物本体から切り取られるものであり、根を有していないので保存が難しく、末端の消費者の手元に届くまでに萎れてしまうことがある。
【００１１】
尚、消費者の手元に無事に届いた切り花でも、特許文献１，２のような筒や試験管といった容器に生けただけでは、容器内の水が切り口部分から吸い上げられるだけなので日持ちせず、数日のうちに萎れて装飾効果が失われてしまう。
【００１２】
本考案は以上のような事情に鑑みて成されたものであり、その目的は切り花の鮮度を長に亙って維持することができ、観賞可能な期間を大幅に延長させることのできる培地付き切り花及び生花商品を提供することにある。
【課題を解決するための手段】
【００１３】
上記目的を達成するため、本考案に係る培地付き切り花は、発根促進剤を含む塊状の培地と、この培地内に茎又は枝の切り口部分が配された切り花とを有し、前記培地内に配された茎又は枝の切り口部分から発根されて成ることを特徴とする。
【００１４】
又、本考案に係る生花商品は、発根促進剤を含む塊状の培地と、この培地内に茎又は枝の切り口部分が配された切り花と、前記培地を収容する容器とを具備して成ることを特徴とする。
【００１５】
特に、以上のような生花商品において、容器が透明であり、その内部に培地のほか該培地の周囲に配される有色の培地固定材が収容されることが好ましい。
【００１６】
更に、容器を収容する外装体を備え、しかも外装体に吊下げ用の紐状体が接続されていることが好ましい。
【００１７】
尚、本考案において、切り花とは生花に用いる植物全体を総称するもので、必ずしも花（花被）を有していることに限らず、花を咲かさない草木の枝や葉を切り取ったものを含む。
【考案の効果】
【００１８】
本考案によれば、発根促進剤を含んだ塊状の培地内に切り花の茎又は枝の切り口部分が配され、その切り口部分から発根されていることから、その発根により切り花の鮮度が長期に亙って維持され、観賞期間が大幅に延長する。
【００１９】
しかも、茎又は枝の切り口部分からの発根により、これが培地に絡んで切り花と培地が一体化するので、輸送の際などにも培地が脱落せずして切り花が萎れてしまうことを防止することができる。
【００２０】
又、培地を収容する容器を備えることから、係る容器内に水を入れ、その状態のまま所定の場所に飾り付けることができる。
【００２１】
特に、透明の容器にして、その内部に培地のほか該培地の周囲に配される有色の培地固定材が収容されることから、培地のがたつきを防止しながら装飾効果を高めることができる。
【００２２】
更に、容器を収容する外装体を備えることから、容器に紙コップや空き缶などを用いても美観を損なわず、切り花による室内装飾に掛かる費用を削減することができる。
【００２３】
又、外装体に吊下げ用の紐状体が接続されることから、切り花を手に提げて持ち歩くことができ、室内などでは係る紐状体を利用して壁や天井に容器を吊下げて切り花を飾り付けることができる。
【考案を実施するための最良の形態】
【００２４】
以下、図面に基づいて本考案を詳しく説明する。図１は本考案に係る培地付き切り花を示した斜視概略図である。図１において、１は切り花であり、係る切り花１は例えばツバキ、クチナシ、ラン、ヤマグワ、アカメガシワ、ヌルデ、クサギ、センダン、ヤマトレンギョウ、又はカエデなどの木本植物であり、その枝１Ａの下端切り口部分は塊状の培地２に差し込まれている。
【００２５】
尚、切り花１は木本植物に限らず、草本植物でもよい。ここに、草本植物としては例えばスイートピー、ユリ、ヨウシュヤマゴボウ、ベニバナボロギク、ミズバショウ、ザゼンソウ、カタクリ、ヒマワリ、又はパンジーなどが挙げられる。そして、その種の切り花も茎の切り口部分を培地２内に配して該切り口部分から発根せしめることができる。
【００２６】
一方、培地２はスポンジ、ウレタン、又はロックウールなどの繊維質から成る含水性を有した固形物を基材２Ａとし、係る基材２Ａに発根促進剤を含浸せしめて構成される。
【００２７】
尚、培地２を構成する基材２Ａは切り花１の茎又は枝１Ａの切り口部分を被覆し得る程度の大きさを有していればよいが、切り花１を安定状態で生けられるようにするためには重量が大きい程よく、その形状は図示のような角柱状のほか、円柱状でも球状でも構わない。又、基材２Ａには発根促進剤のみならず、液状または粒状の肥料を定着させてもよい。
【００２８】
又、基材２Ａに含浸する発根促進剤は植物の発根を促すための溶液であり、これには４−クロロインドール−３−酢酸、５，６−ジクロロインドール−３−酢酸、又はそれらのエステル誘導体、若しくはα−ナフナル、アセトアミド、植物ホルモンのオーキシン、及びショ糖や果糖といった糖類などが用いられる。
【００２９】
そして、培地２内に配された切り花１の茎又は枝１Ａの切り口部分からは発根促進剤の作用により根３が発生し、これが基材２Ａに絡んで切り花１と培地２が堅固に一体化されている。
【００３０】
尚、発根促進剤としては上記例のように種々のものが知られるが、これは切り花１の種類に応じて多種類のものの中から好適な一種、乃至は数種の混合物が選ばれる。
【００３１】
図２は、以上のような培地付き切り花を用いて構成される生花商品の一例を示す。図２において、４は切り花１を生ける容器であり、その内部には培地２が収容される。本例において、容器４はガラスなどから形成される耐水性を有した透明な有底筒状体であり、その内部には培地２のほか、適量の水、及び培地２を囲む有色の培地固定材５が収容される。
【００３２】
本例において、培地固定材５は赤色や青色を有する無機質の粒状物（カラービーズ）であり、これは培地２を安定化させるほか、培地２を遮蔽しながら容器４を透かして視認される彩色により装飾効果を高める働きをする。
【００３３】
そして、このような生花商品は誕生日や母の日の贈答品として好適に用いられ、受取主は係る生花商品をそのまま所定の場所に飾り付けすることができる。
【００３４】
尚、容器４は透明体であることに限らず、これに陶磁器などから成る不透明な公知の植木鉢ほか、使用済みの紙コップや空き缶を用いることもできる。この場合、容器４内には有色の培地固定材５に代えて剣山や土を収容するようにしてもよく、これによっても培地２を安定化させることができる。又、水に代えて容器４内に培養液を入れても良い。
【００３５】
更に、図３のように容器４を化粧用の外装体６に収容することも装飾上効果的である。係る外装体６として、包装紙や透明なプラスチックフィルムなどから成るラッピング材料を用いることもできるが、これに不透明で耐水性を有する堅牢な籠や巾着形の袋などを用いることにより高級感をもたせることができる。
【００３６】
図４は、係る外装体６に吊下げ用の紐状体７を取り付けた例を示す。ここに、紐状体７は合成樹脂、天然繊維、又は金属線などから成る可撓性を有した左右一対の線形材料であり、それらはループ状にして外装体６の上部に相対向して接続されている。
【００３７】
尚、紐状体７は左右一対の構成とすることに限らず、一本式としてその両端を外装体６の上部に接続するようにしてもよい。更に、係る紐状体７は切り花１の背丈より長く設定することが好ましく、これによって切り花１の上方で紐状体７を把持しながら切り花１を持ち歩くことができる。
【００３８】
又、外装体６に紐状体７を接続した生花商品によれば、係る紐状体７を利用して壁や天井などに吊下げて切り花１を観賞することができる。
【図面の簡単な説明】
【００３９】
【図１】本考案に係る培地付き切り花を示す斜視図
【図２】培地付き切り花を容器に生けた生花商品を示す説明図
【図３】容器を外装体に収容して成る生花商品を示す説明図
【図４】外装体に吊下げ用の紐状体を接続した生花商品を示す説明図
【符号の説明】
【００４０】
１  切り花
１Ａ  枝（又は茎）
２  培地
３  根
４  容器
５  培地固定材
６  外装体
７  紐状体
【図１】
0003108292.tif 000003
【図２】
0003108292.tif 000004
【図３】
0003108292.tif 000005
【図４】
0003108292.tif 000006